(57)【要約】  本発明は、タンニンを含む洗浄組成物及び／又は処理組成物並びにその製造方法及び使用方法に関する。このような洗浄組成物及び／又は処理組成物は、このような洗浄組成物及び／又は処理複合材料で処理される物品に着色を付与することなく、悪臭を緩和／中和し得る。なお、かかる組成物のこのような外観は、組成物が含有しているタンニンにより不利な影響を受けるものではない。【特許請求の範囲】
【請求項１】
洗浄製品及び／又は処理製品の総重量を基準として、約０．０００１％〜約１．５％、好ましくは約０．００１％〜約０．５％のタンニン及び洗浄添加剤及び／又は処理添加剤を含む、洗浄製品及び／又は処理製品。
【請求項２】
前記タンニンが、ガロタンニン、エラジタンニン、縮合タンニン、複合タンニン及びこれらの混合物からなる群から選択される、請求項１に記載の洗浄製品及び／又は処理製品。
【請求項３】
請求項１〜２のいずれか一項に記載の洗浄製品及び／又は処理製品であって、
ａ）ガロタンニンが漆のこぶ、アレッポオークのこぶ、又は漆の葉から抽出され、好ましくは、前記ガロタンニンがアレッポオークのこぶから抽出したタンニンからなる群から選択される、
ｂ）エラジタンニンがクリノキの樹皮、及びクリノキの木から抽出され、好ましくは、前記エラジタンニンがクリノキの樹皮から抽出したタンニンからなる群から選択される、
ｃ）縮合タンニンがマツの樹皮、ケブラチョ、ミモザの樹皮、エゾマツの樹皮、ブドウ種から抽出したタンニンからなる群から選択され、好ましくは、前記縮合タンニンがマツの樹皮及びケブラチョから抽出したタンニンからなる群から選択される、
ｄ）複合タンニンがカキの葉及び茶の葉から抽出したタンニンからなる群から選択される、洗浄製品及び／又は処理製品。
【請求項４】
前記タンニンが縮合タンニンからなる群から選択されるタンニンを含み、好ましくは、前記タンニンがマツの樹皮又はケブラチョから抽出したタンニンからなる群から選択される、請求項１〜３のいずれか一項に記載の洗浄製品及び／又は処理製品。
【請求項５】
前記洗浄添加剤及び／又は処理添加剤が、界面活性剤、ビルダー、脂肪酸、香料、香料送達系、シリコンからなる群から選択される材料を含み、好ましくは前記材料が、界面活性剤、ビルダー、香料、香料送達系からなる群から選択される、請求項１〜４のいずれか一項に記載の洗浄製品及び／又は処理製品。
【請求項６】
洗浄製品及び／又は処理製品の総重量を基準として、約１％〜約９７％、好ましくは約５％〜約９０％、より好ましくは約８％〜約８０％の水を含む、請求項１〜５のいずれか一項に記載の洗浄製品及び／又は処理製品。
【請求項７】
悪臭を低減させる方法であって、
ａ）所望により、部位を洗浄すすぎ、及び／又は乾燥すること、
ｂ）請求項１〜６のいずれか一項に記載の組成物で部位を処理すること、並びに
ｃ）所望により、前記部位を洗浄すすぎ、及び／又は乾燥することであって、
前記乾燥することが受動的に乾燥すること及び／又は能動的に乾燥することであること、を含む、方法。
【請求項８】
総処理液重量を基準として、約０．００１ｐｐｍ〜約５００ｐｐｍ、約０．００１ｐｐｍ〜約３００ｐｐｍ、より好ましくは約０．０１ｐｐｍ〜約１００ｐｐｍのタンニンを含む処理液。
【発明の詳細な説明】
【技術分野】
【０００１】
本発明は、タンニンを含む洗浄組成物及び／又は処理組成物並びにその製造方法及び使用方法に関する。
【背景技術】
【０００２】
無香料又は香料製品の製造者は、悪臭を低減するうえで悪臭低減成分又はその他の技術（例えばフィルター）に依存している。しかし、悪臭、例えば、アミン系の悪臭（例えば魚及び尿）、チオール及び硫化物系の悪臭（例えばニンニク及び玉ネギ）、Ｃ２〜Ｃ１２カルボン酸系の悪臭（例えば体臭及びペット臭）、インドール系の悪臭（例えば糞便及び口臭）、短鎖脂肪族アルデヒド系の悪臭（例えば油脂）並びにゲオスミン系の悪臭（例えばカビ／ウドンコ病菌）を効果的に制御することは難しく、製品が悪臭を著しく低減するのに要する時間は、製品の悪臭への効力に関して、消費者に疑念を抱かせる恐れがある。多くの場合、製造者は、これら困難な悪臭を遮蔽するために追加の香料を組み込んでいる。
【０００３】
悪臭に対応するための典型的なアプローチは、強力な香気で悪臭を覆い、このように悪臭を遮蔽することである。しかし、悪臭の遮蔽は単に一時的なものであり、香料で遮蔽処理された材料を使用する際に悪臭が再発生する。驚くべきことに、出願人らは、洗浄、スプレー式及び乾燥機を介する追加の適用を含む適用を介して、低量にてタンニンを使用することで、悪臭の抑制が可能であることを見出した。理論に束縛されるものではないが、出願人らは、タンニンが悪臭を閉じ込め、それによりヘッドスペースにおいて悪臭が放出されるのを防ぐと考えている。出願人らはまた、タンニンが追加の悪臭種の形成を防ぐと考えており、その酸化防止特性を好ましく捉えている。
【０００４】
タンニンは、赤ワインなどの製品中に見出されるポリフェノール化合物である。タンニンのような物質は一般に、それらが布地に染みをつけ得るために、洗浄、スプレー式及び乾燥機を介する追加の適用には選択されない。最良の有益剤により、活性レベルとして増大する活性効果を高める。ここで、出願人らは、低量でのタンニンが、洗浄組成物及び／又は処理組成物へ着色を付与することなく悪臭を緩和／中和し得ると理解しており、またこのような洗浄組成物及び／又は処理組成物及びこのような悪臭の緩和／中和で処理される物品は、高タンニン量よりもむしろ低タンニン量にて最もよく得られる。
【発明の概要】
【課題を解決するための手段】
【０００５】
本発明は、タンニンを含む洗浄組成物及び／又は処理組成物並びにその製造方法及び使用方法に関する。このような洗浄組成物及び／又は処理組成物は、このような洗浄組成物及び／又は処理複合材料で処理される物品に着色を付与することなく、悪臭を緩和／中和し得る。なお、このような組成物の外観は、組成物が含有しているタンニンにより不利な影響を受けるものではない。
【発明を実施するための形態】
【０００６】
用語の定義
本発明で使用する場合、用語「洗浄組成物及び／又は処理組成物」とは、特に指示がない限り、美容ケア、布地及びホームケア製品を含む消費者製品の部分集合である。このような製品としては、脱色、着色、染色、コンディショニング、洗髪、スタイリングを含む、髪（ヒト、イヌ、及び／又はネコ）を処理するための製品としては、以下のものが挙げられるが、これらに限定されない。脱臭剤及び制汗剤；パーソナルクレンジング；化粧品；クリーム、ローション、及び洗練された芳香剤を含む消費者が使用する局所的に塗布されるその他の製品の用途を含むスキンケア並びに、剃毛製品、布地及びホームケア領域における、布地、硬質表面及び任意のその他の表面を処理するための製品（空気清浄剤及び香料送達系を含む空気ケア）、カーケア、食器洗い、布地コンディショニング（柔軟剤及び／又はフレッシュニングを含む）、洗濯物洗浄、洗濯物及びすすぎ添加剤及び／又はケア、床及び便器クリーナーを含む硬質表面洗浄及び／又は処理、顆粒状又は粉末状の汎用又は「ヘビーデューティー」洗浄剤（特にクリーニング洗剤）を含む）；液体、ゲル、又はペースト状の汎用洗浄剤、特に、いわゆる、ヘビーデューティー液体タイプのもの；きめの細かい布地用液体洗剤；手洗い用食器洗剤又はライトデューティー食器洗剤、特に高発泡タイプのもの；食器洗い機用洗剤であって、家庭用及び業務用の、様々な、タブレット状、粒状、液体、及びすすぎ補助タイプを含む洗剤；抗菌手洗いタイプ、クリーニングバー、マウスウォッシュ、義歯洗浄剤、歯磨剤、車又はカーペット用シャンプー、便器クリーナーを含む浴室用清浄剤を含む、液体洗浄剤及び消毒剤；毛髪用シャンプー及び毛髪用リンス剤；シャワー用ジェル、洗練された芳香剤及び発泡入浴剤、並びに金属洗浄剤；加えて、漂白添加剤及び「ステインスティック」又は前処理タイプなどの清浄補助剤、ドライヤー添加シート、乾燥及び湿潤ワイプ及びパッド、不織布基材、並びにスポンジなどの基材付き製品；加えて、消費者が使用する又は／及び施設で使用する全てのスプレー及びミスト；及び／又は口腔ケアに関連する方法であって、練り歯磨き、歯磨きジェル、歯すすぎ剤、入れ歯粘着剤、歯ホワイトニング剤を含むもの。
【０００７】
本発明で使用する場合、用語「布地及び／又は硬質表面の洗浄組成物並びに／若しくは処理組成物」とは、特に指示がない限り、顆粒若しくは粉末状の、汎用又は「ヘビーデューティー」洗浄剤、特に、清浄用洗剤；液体、ゲル、又はペースト状の汎用洗浄剤、特に、いわゆる、ヘビーデューティー液体タイプのもの；きめの細かい布地用液体洗剤；手洗い用食器洗剤又はライトデューティー食器洗剤、特に高発泡タイプのもの；食器洗い機用洗剤であって、家庭用及び業務用の、様々な、タブレット状、粒状、液体、及びすすぎ補助タイプを含む洗剤；抗菌手洗いタイプ、クリーニングバー、車又はカーペット用シャンプー、便器クリーナーを含む浴室用清浄剤を含む、液体洗浄剤及び消毒剤；並びに金属洗浄剤；布地コンディショニング製品（液体、固体及び／又はドライヤーシート形態であってよい柔軟剤及び／又はフレッシュニングを含む）；加えて、漂白添加剤及び「ステインスティック」又は前処理タイプなどの清浄補助剤、ドライヤー添加シート、乾燥及び湿潤ワイプ及びパッド、不織布基材、並びにスポンジなどの基材付き製品；加えて、スプレー及びミスト、の部分集合である。適用可能であるこのような製品は全て、標準形態、濃縮形態、あるいは、このような製品が特定の態様では非水性であり得る限りにおいて、高度に濃縮された形態であってよい。
【０００８】
本発明で使用する場合、請求項において使用される「ａ」及び「ａｎ」等の冠詞は、請求される又は記載されるものが１つ又は複数であることを意味すると理解される。
【０００９】
本発明で使用する場合、用語「含む（include）」、「含む（includes）」、及び「含んでいる（including）」とは、非限定的であることを意味する。
【００１０】
本発明で使用する場合、用語「固体」は、顆粒、粉末、バー及び錠剤の製品形態を含む。
【００１１】
本発明で使用する場合、用語「流体」は、液体、ゲル、ペースト及び気体の製品形態を含む。
【００１２】
本発明で使用する場合、用語「部位」は、紙製品、布地、衣服、硬質表面、毛髪及び皮膚を含む。
【００１３】
別途注記のない限り、構成成分又は組成物の濃度は全て、当該構成成分又は組成物の活性部分に関するものであり、このような構成成分又は組成物の市販の供給源に存在し得る不純物、例えば、残留溶剤又は副生成物は除外される。
【００１４】
全ての百分率及び比率は、特に指示がない限り、重量で計算される。全ての百分率及び比率は、特に指示がない限り、全組成物に基づいて計算される。
【００１５】
本明細書の全体を通して記載されるすべての最大数値限定は、それよりも小さい数値限定を、そのようなより小さい数値限定があたかも本明細書に明確に記載されているものと同様にして包含するものと理解すべきである。本明細書全体を通して記載される全ての最小数値限定は、それよりも高い全ての数値限定を、より高い数値限定が本明細書に明示的に記載されているかのように包含する。本明細書全体を通して与えられる全ての数値範囲は、そのようなより広い数値範囲内に入るより狭い全ての数値範囲を、そのような狭い数値範囲が全て本明細書に明示的に記載されているかのように包含する。
【００１６】
組成物
洗浄製品及び／又は処理製品の総重量を基準として、約０．０００１％〜約１．５％、好ましくは約０．００１％〜約０．５％のタンニン並びに洗浄添加剤及び／又は処理添加剤を含み、好ましくは当該処理添加剤が、界面活性剤、ビルダー、脂肪酸、香料、香料送達系、シリコンからなる群から選択される材料を含み、好ましくは当該材料が界面活性剤、ビルダー、香料、香料送達系からなる群から選択される、洗浄製品及び／又は処理製品を開示する。
【００１７】
タンニンは高等植物のポリフェノール二次代謝産物であり、かつタンニンはガロイル部分又はこれらの誘導体が種々のポリオール−、カテキン−、及びトリテルペノイド核に結合している（ガロタンニン、エラジタンニン及び複合タンニン）ガロイルエステル並びにそれらの誘導体のいずれかである、又はタンニンはフラバニル間結合及び置換パターン（縮合タンニン）を備え得るオリゴマーのプロアントシアニジン及びポリマーのプロアントシアニジンである。タンニンの分類における一層の詳細は、Ｋ．Ｋｈａｎｂａｂａｅｅ、Ｔ．ｖａｎ  ＲｅｅらのＴａｎｎｉｎｓ：Ｃｌａｓｓｉｆｉｃａｔｉｏｎ  ａｎｄ  Ｄｅｆｉｎｉｔｉｏｎ，Ｔｈｅ  Ｒｏｙａｌ  Ｓｏｃｉｅｔｙ  ｏｆ  Ｃｈｅｍｉｓｔｒｙ，２００１，ｐａｇｅｓ  ６４１〜６４９中に見出すことができる。
【００１８】
ガロタンニンは全てタンニンのようなものであり、ガロイル単位は多様なポリオール−、カテキン−又はトリテルペノイド単位に結合している。
【００１９】
【化１】
2018505944.tif 000002
【００２０】
エラジタンニンはタンニンのようなものであり、少なくとも２つのガロイル単位がお互いに結合しているＣ−Ｃであり、グリコシド結合したカテキン単位を含有していない。
【００２１】
【化２】
2018505944.tif 000003
【００２２】
複合タンニンはタンニンであり、カテキン単位がガロタンニン又はエラジタンニンにグリコシド結合している。
【００２３】
【化３】
2018505944.tif 000004
【００２４】
縮合タンニンは全て、１つのカテキンのＣ−４が次のモノマーのカテキンのＣ−８又はＣ−６に結合することにより形成される、オリゴマーのプロアントシアニジン及びポリマーのプロアントシアニジンである。
【００２５】
【化４】
2018505944.tif 000005
【００２６】
【表１】
2018505944.tif 000006
【００２７】
当該洗浄製品及び／又は処理製品は、好ましくは、洗浄製品及び／又は処理製品の総重量を基準として、約０．０００１％〜約１．５％、好ましくは約０．００１％〜約０．５％のタンニン（ガロタンニン、エラジタンニン、縮合タンニン、複合タンニン及びこれらの混合物からなる群から選択される）を含む。
【００２８】
好ましくは、ガロタンニンは漆のこぶ、アレッポオークのこぶ、又は漆の葉から抽出され、より好ましくは、当該ガロタンニンはアレッポオークのこぶから抽出したタンニンからなる群から選択される。
【００２９】
好ましくは、エラジタンニンはクリノキの樹皮、及びクリノキの木から抽出され、より好ましくは、当該エラジタンニンはクリノキの樹皮から抽出したタンニンからなる群から選択される。
【００３０】
好ましくは、縮合タンニンはマツの樹皮、ケブラチョ、ミモザの樹皮、エゾマツの樹皮、ブドウ種から抽出したタンニンからなる群から選択され、より好ましくは、当該縮合タンニンはマツの樹皮及びケブラチョから抽出したタンニンからなる群から選択される。
【００３１】
好ましくは、複合タンニンはカキの葉及び茶の葉から抽出したタンニンからなる群から選択される。
【００３２】
好ましくは、当該タンニンは縮合タンニンからなる群から選択されるタンニンを含み、より好ましくは、当該タンニンはマツの樹皮又はケブラチョから抽出したタンニンからなる群から選択される。
【００３３】
好ましくは、当該タンニンは縮合タンニンからなる群から選択されるタンニンを含み、より好ましくは、当該タンニンはマツの樹皮又はケブラチョから抽出したタンニンからなる群から選択される。
【００３４】
好ましくは、当該洗浄製品及び／又は処理製品は、洗浄製品及び／又は処理製品の総重量を基準として、約１％〜約９７％、好ましくは約５％〜約９０％、より好ましくは約８％〜約８０％の水を含む。
【００３５】
一態様では、当該組成物は、組成物の総重量を基準として、０．０５重量％〜５０重量％、有利には、１〜４０重量％、３〜３０重量％、又は５重量％〜２０重量％の、アニオン性界面活性剤、非イオン性界面活性剤、カチオン性界面活性剤、双性イオン性界面活性剤及び／又は両性界面活性剤の群から選択される界面活性剤を含む。
【００３６】
一態様では、当該組成物は、組成物の総重量を基準として、非イオン性界面活性剤を含有し、一態様では、当該組成物は、組成物の総重量を基準として、０．０１〜２５重量％、１〜２０重量％、又は３〜１５重量％の非イオン性界面活性剤を含む。
【００３７】
一態様では、当該組成物は、組成物の総重量を基準として、０．１〜８０重量％、１〜６０重量％、又は５〜５０重量％のビルダーを含む。
【００３８】
一態様では、当該組成物は、可溶性ビルダー系を含み、一態様では、当該可溶性ビルダー系は、ソーダ、ケイ酸塩、クエン酸塩及び／又はポリカルボン酸塩を含む。
【００３９】
一態様では、当該組成物は、香料及び香料送達系を含有する。香料送達系は、マイクロカプセルからなる群から選択される材料である、ポリマー補助送達系；分子補助送達系；繊維補助送達系；シクロデキストリン送達系；デンプン封入アコード；及び／又は無機担体送達系を含む。
【００４０】
一態様では、当該香料マイクロカプセルは、メラミン−ホルムアルデヒドポリマー、メラミン−尿素ポリマー、ポリ尿素、ポリウレタン、ポリアクリレート、ポリメチルメタクリレート及びポリアクリレートエステルからなる群から選択される材料を含む。
【００４１】
一態様では、このようなマイクロカプセルは、芳香族物質を含有する。
【００４２】
一態様では、このような有益剤送達粒子は、前述した態様において列挙されているような前述したパラメータの任意の組み合わせを有することができる。
【００４３】
一態様では、液体組成物中でタンニンを撹拌する又は当該タンニンを連続的に液体組成物中に添加して、静的混合エレメントにより成分を混合させること、一態様では、事前にタンニンを界面活性剤と混合させることとを含む、液体組成物の製造方法を開示する。
【００４４】
一態様では、
（ａ）タンニンを固体組成物中へと混合させること；
（ｂ）顆粒形態若しくは担体形態の当該タンニンを、固体組成物内に混合させること；又は
（ｃ）乾燥形態の当該タンニンを、固体組成物内に混合させること、からなる群から選択される、固体組成物の製造方法
が開示される。
【００４５】
タンニンは、洗剤マトリックス又は洗浄剤マトリックス中において安定している。洗剤又は洗浄剤の使用中、例えば洗濯時に、タンニンは洗浄する品目に堆積して、悪臭処理の利点を提供する。
【００４６】
本発明に従って使用可能なタンニンは、製品全体を基準にして、好ましくは０．０００１〜１．５重量％、有利には０．００１〜０．５％の量で、洗剤又は洗浄剤中に含有される。
【００４７】
本発明に従って使用可能なタンニンは、特に粉末形態（活性１００％）で、又は水−溶媒溶液（例えば、水：エタノール：エチレングリコール＝１：１：１溶液）で、本発明に従った洗剤又は洗浄剤中へ導入される。本発明に従った洗剤又は洗浄剤は、記載されるタンニン加え、その他成分、即ち、少なくとも界面活性剤及び／又はビルダーを含有する。
【００４８】
以下に詳述するのは、洗剤又は洗浄剤のその他考えられる成分である。しかし、最初に明らかにすべきなのは、本発明の目的において、用語「洗剤」が、特に洗剤又は洗浄剤、並びに、後処理剤（例えば、好ましくは、布地柔軟剤、芳香性すすぎ剤、衣類乾燥機用処理シート、衛生用すすぎ剤など）を含むことである。布地用洗剤は、例えば、粉末状、顆粒状、球状、タブレット状、ペースト状、ゲル状、シート状、分包状、又は液状で存在する、布地の洗濯に必要な配合物に対する用語であって、好ましくは水溶液中で、特に洗濯機中で使用される。布地柔軟剤は、布地の処理のための布地後処理剤であって、好ましくは、処理された布地の感触を柔らかくする活性物質、特にカチオン性活性物質（好ましくは、カチオン性界面活性剤、例えば第四級アンモニウム化合物）、脂肪酸誘導体及び／又はシリコーンオイルを含有する。芳香性すすぎ剤は、布地を処理する香料を含有する布地後処理剤であり、これらは、布地に特に魅力的な芳香を与える。衣類乾燥機用処理シートは、活性物質（特に布地柔軟剤）を含有する不織布又はシートである。衛生用すすぎ剤は、少なくとも１つの抗菌性活性物質、例えば、塩化ベンザルコニウムなどの第四級アンモニウム化合物を含有する、布地処理用の布地後処理剤であり、洗濯物の細菌量を減らすのに役立つ。用語「洗浄剤」は、全ての硬質又は軟質表面用クリーナー（クレンザー）を含むが、好ましくは、硬質表面、特に食器洗浄用洗剤（食器用洗剤液及び食洗機用洗剤を含む）、多目的クリーナー、便器クリーナー、風呂場クリーナー、及びガラスクリーナーである。全ての洗剤又は洗浄剤は、例えば、粉末状、顆粒状、球状、タブレット状、ペースト状、ゲル状、シート状、分包状、又は液状であってよい。これらは、単相型又は多相型であってよい。また、これらは、単回用包装、いわゆる「パウチ」中で存在することもでき、１つの変化形としては、マイクロカプセルは、パウチに使われるフィルム材料、例えばＰＶＡ中に埋め込まれる。
【００４９】
用語「洗剤」は、ヘアケア又はパーソナルケア洗浄剤組成物並びに後処理剤（好ましくは、頭髪用の洗い流し型コンディショナー又は残留型コンディショナーなど）をも含む。
【００５０】
本発明による洗剤又は洗浄剤は、タンニンに加えて、界面活性剤及び／又はビルダーを必須成分として含有する。
【００５１】
考えられる界面活性剤としては、具体的には、アニオン性界面活性剤、非イオン性界面活性剤、カチオン性界面活性剤、双性イオン性界面活性剤及び／又は両性界面活性剤が挙げられるが、本発明による洗剤又は洗浄剤が、アニオン性、非イオン性及び／又はカチオン性界面活性剤を含有する場合が特に好ましい。特に有利であるのは、アニオン性及び非イオン性界面活性剤の混合物の使用である。本発明による洗剤又は洗浄剤は、好ましくは、０．０５重量％〜５０重量％、有利には、１〜４０重量％、更に有利には、３〜３０重量％、特に５重量％〜２０重量％の、特にアニオン性界面活性剤、非イオン性界面活性剤、カチオン性、双性イオン性及び／又は両性界面活性剤の群からの界面活性剤を含有する。これは、本発明の好ましい実施形態に相当し、最適な洗浄性能を可能にする。
【００５２】
本発明による洗剤又は洗浄剤が、製品全体に基づいて、有利には０．１〜２５重量％、更に有利には１〜２０重量％の量、特に３〜１５重量％の量で、アニオン性界面活性剤を含有する場合が特に好ましい。これは、本発明の好ましい実施形態に相当し、特に有利な洗浄性能を可能にする。１つの特に好適なアニオン性界面活性剤は、アルキルベンゼンスルホネート、好ましくは、直鎖アルキルベンゼンスルホネート（ＬＡＳ）である。本発明による洗剤又は洗浄剤が、製品全体に基づいて、有利には０．１〜２５重量％、更に有利には１〜２０重量％の量、特に３〜１５重量％の量のアルキルベンゼンスルホネートを含有する場合、本発明の好ましい実施形態に相当する。
【００５３】
別の特に好適なアニオン性界面活性剤は、アルキルサルフェート、特に、例えばＣ１２〜Ｃ１８脂肪族アルコールサルフェートなどの脂肪族アルコールサルフェート（ＦＡＳ）である。Ｃ８〜Ｃ１８アルキルサルフェートが、好ましくは使用できる。特に好ましいのは、Ｃ１３アルキルサルフェート及びＣ１３〜Ｃ１５アルキルサルフェート及びＣ１３〜Ｃ１７アルキルサルフェートであり、有利には分枝されており、特にアルキル−分枝鎖Ｃ１３〜Ｃ１７アルキルサルフェートである。特に好適な脂肪族アルコールサルフェートは、ラウリル及びミリスチルアルコール、すなわち、１２個又は１４個の炭素原子を含有する脂肪族アルコールサルフェートから誘導することができる。長鎖ＦＡＳ類（Ｃ１６〜Ｃ１８）は、高温での洗濯に非常に好適である。その他使用できる好ましいアニオン性界面活性剤として、アルカンスルホネート（例えば、二級Ｃ１３〜Ｃ１８アルカンスルホネート）、メチルエステルスルホネート（例えば、Ｃ１２〜Ｃ１８メチルエステルスルホネート）及びα−オレフィンスルホネート（例えば、Ｃ１４〜Ｃ１８オレフィンスルホネート）及びアルキルエーテルサルフェート（例えば、Ｃ１２〜Ｃ１４脂肪族アルコール−２ＥＯエーテルサルフェート）及び／又は石鹸が挙げられる。その他の好適なアニオン性界面活性剤を以下に詳細に記載する。しかしながら、特に好適であるのは、ＦＡＳ及び／又はＬＡＳである。
【００５４】
石鹸を含むアニオン性界面活性剤は、これらのナトリウム、カリウム又はアンモニウム塩、並びに、モノ−、ジ−又はトリエタノールアミンなどの有機塩基の可溶性塩の形態であってよい。好ましくは、アニオン性界面活性剤は、ナトリウム又はカリウム塩の形態、特にナトリウム塩の形態で存在する。
【００５５】
本発明による洗剤又は洗浄剤が、製品全体に基づいて、有利には３〜１５重量％、更に有利には１〜２０重量％の量、特に３〜１５重量％の量で、非イオン性界面活性剤を含有する場合が特に好ましい。これは、本発明の１つの好ましい実施形態に相当する。特に好ましいのは、アルキルポリグリコールエーテルを、特に、好ましくはＬＡＳなどのアニオン性界面活性剤と組み合わせて使用することである。その他の好適な非イオン性界面活性剤は、アルキルフェノールポリグリコールエーテル（ＡＰＥＯ）、（エトキシル化）ソルビタン脂肪酸エステル（ソルビタン）、アルキルポリグルコシド（ＡＰＧ）、脂肪酸グルカミド、脂肪酸エトキシレート、アミンオキシド、エチレンオキシドプロピレンオキシドブロックポリマー、ポリグリセロール脂肪酸エステル、及び／又は脂肪酸アルカノールアミドである。その他の好適な非イオン性界面活性剤を以下に詳細に記載する。糖系非イオン性界面活性剤、例えば特にＡＰＧが、特に好ましい。
【００５６】
本発明の目的において、ビルダーとして、特にゼオライト、ポリカルボン酸塩、クエン酸塩（例えば、クエン酸ナトリウムなど）、ソーダ、炭酸水素ナトリウム、リン酸塩、ケイ酸ナトリウム（水ガラス）、ホスホン酸塩、アルカリ性非晶質二ケイ酸塩、及び結晶性層状ケイ酸塩が挙げられる。ビルダーは、本発明による洗剤又は洗浄剤に、好ましくは０．１〜８０重量％、有利には１〜６０重量％、更に有利には５〜５０重量％の量で含まれる。加えて、本発明による洗剤又は洗浄剤が、ビルダー系（すなわち、ビルダー効果を有する少なくとも２つの物質）、好ましくはゼオライトを含有する、好ましくはゼオライトからなるビルダー系を、製品全体に重量％基づいて、＞１重量％、有利には＞５重量％、更に有利には＞１０重量％、特に≧１５重量％の量で含有することが、特に最も好ましい。有用な最大量は、製品全体に基づいて、４０重量％、３０重量％、又は２０重量％であってよい。これは、本発明の好ましい実施形態に相当する。ゼオライト及びソーダの組み合わせが好ましい。
【００５７】
また、本発明による洗剤又は洗浄剤が、製品全体に基づいて、好ましくは、ソーダ、ケイ酸塩、クエン酸塩及び／又はポリカルボン酸塩を含む可溶性ビルダー系を、有利には０．１〜５０重量％の量で含有する場合も、特に好ましい。これは、本発明の好ましい実施形態に相当する。かかる可溶性ビルダー系が製品に含まれる場合、製品が、特にゼオライトなどの不溶性ビルダーを、ごく少量、例えば５重量％〜０．１重量％未満で含む、特に、このような場合に製品が、不溶性ビルダーを全く含まない場合が最も好ましい。
【００５８】
本発明による洗剤又は洗浄剤において、リン酸塩を含有することも可能である。リン酸塩は、好ましくは、製品全体に基づいて、１〜４０重量％、特に５〜３０重量％の量で含まれる。しかしながら、別の好ましい実施形態によると、本発明による洗剤又は洗浄剤はリン酸塩を含まない。
【００５９】
例えば、特に、粉末状固体、不動態化粒子状、均質溶液又は懸濁液として存在し得る本発明による洗剤又は洗浄剤は、原則として、このような製品における従来の全ての既知成分も含有してよい。本発明による製品は、既に示したように、特にビルダー物質、界面活性剤を、また、漂白剤、漂白活性化剤、水混和性有機溶媒、酵素、金属イオン封鎖剤、電解質、ｐＨ調整剤、及びその他添加剤、例えば、蛍光増白剤、蛍光剤、再付着防止剤、縮み防止剤、しわ防止剤、色移り阻害剤、抗菌性活性物質、殺菌剤、抗カビ剤、抗酸化剤、防腐剤、腐食阻害剤、ガラス腐食阻害剤、崩壊剤、静電気阻害剤、苦味剤、アイロン用助剤、撥水及び水浸透剤、膨潤及び増摩剤、天然充填塩、並びに、ＵＶ吸収剤、泡制御剤、並びに、着色剤、並びに芳香族物質も含有してよい。
【００６０】
本発明による洗剤及び洗浄剤は、追加的に、いわゆる「遊離」の、非マイクロカプセル化香油（芳香族物質）も含有してよい。これは、本発明の特に好ましい実施形態に相当する。これらの香油の組成は、カプセル化される香油と同じであっても、異なっていてもよい。洗剤又は洗浄剤全体に基づき、好ましくは０．０００１〜１５重量％、有利には０．００１〜１０重量％、特に０．０１〜５重量％の芳香族物質を含有することができる。
【００６１】
本発明の別の主題は、固形洗剤又は洗浄剤の製造方法であって、
ａ）タンニンを残りの洗剤又は洗浄剤中へ混合させることによる、又はｂ）顆粒形態又は担体形態のタンニンを残りの洗剤マトリックス又は洗浄剤マトリックス中へ混合させること、又は
（ｃ）乾燥形態のタンニンを、残りの洗剤又は洗浄剤マトリックス内へ混合させること、とを特徴とする。
【００６２】
嵩重量が増した、特に６５０ｇ／Ｌ〜９５０ｇ／Ｌの範囲である本発明による製品を製造するためには、押出工程及び造粒を有する方法が好ましい。
【００６３】
単相又は多相、単色又は多色であってよく、特に単層又は複数（特に２）層からなってよいタブレット状の本発明による製品を製造するためには、好ましくは、全ての成分（必要に応じて１度に１つの層）を一緒にミキサー中で混合することと、従来の打錠機、例えば偏心プレス又は回転プレスによって混合物を打錠することと、によって始める。特に多層状タブレットの場合、少なくとも１つの層を予め打錠する場合が有利であり得る。この方法で、壊れないタブレットが容易に得られ、それにもかかわらず、使用中に十分迅速に溶解する。タブレットは、任意の形状、円形、楕円形、又は正方形であってよく、中間形態も可能である。角部及び縁部に丸みをつけたものが有利である。
【００６４】
典型的な溶媒を含む溶液形態の、本発明による液体又はペースト状製品は一般に、物質又は溶液として配置され得る成分を、自動式ミキサー中で混合することによって製造される。続いて、例えばその後に、本発明によるマイクロカプセルを、マイクロカプセルを含まないこと以外は「最終」組成物中に、懸濁できる。
【００６５】
本発明の別の主題は、液体洗剤マトリックス又は液体洗浄剤マトリックス中でタンニンを撹拌することによる、又はタンニンを連続的に液体洗剤マトリックス又は液体洗浄剤マトリックス中に添加して、静的混合エレメントによって成分を混合させることにより特徴づけられる、液体洗剤又は液体洗浄剤の製造方法であり、タンニンは、好ましくは事前に界面活性剤と混合される。
【００６６】
本発明による洗剤又は洗浄剤を製造するとき、固体であれ液体であれ、導入されるマイクロカプセルを、水形態（例えば、水：エタノール：エチレングリコール＝１：１：１溶液）で導入することが、通常は有利である。この目的のために、タンニン分散体を界面活性剤と混合させて安定させることが、非常に有利であることが証明されており、界面活性剤は、カチオン性界面活性剤、アニオン性界面活性剤及び／又は非イオン性界面活性剤、好ましくは非イオン性界面活性剤が使用され、エトキシ化オキソアルコールが特に好適である。
【００６７】
この方法において、アニオン性界面活性剤は、分散体の安定化のために、１〜４０重量％、例えば２〜３０重量％、特に３〜２０重量％の量で有利に使用される（分散体全体に基づく重量％）。カチオン性界面活性剤は、分散体の安定化のために、０．００１〜４重量％、例えば０．０１〜３重量％、特に０．１〜２重量％の量で有利に使用できる（分散体全体に基づく重量％）。非イオン性界面活性剤は、分散体の安定化のために、０．０１〜２０重量％、例えば０．１〜１５重量％、特に１〜１０重量％の量で有利に利用できる（分散体全体に基づく重量％）。好適なアニオン性界面活性剤として、アルキルベンゼンスルホネート、好ましくは、二級Ｃ１０〜Ｃ１３−ｎ−アルキルベンゼンスルホネート、アルカンスルホネート、メチルエステルスルホネート、α−オレフィンスルホネート、アルキルサルフェート、好ましくは、脂肪族アルコールサルフェート、アルキルエーテルサルフェート、好ましくは、脂肪族アルコールエーテルサルフェート及びスルホサクシネートが挙げられる。好適なカチオン性界面活性剤として、第四級アンモニウム化合物、特に１つ若しくは２つの疎水性アルキル基を有する第四級アンモニウム化合物、第四級ホスホニウム塩又は第三級スルホニウム塩が挙げられる。特に好ましいのは、いわゆる「エステルクワット」である。エステルクワットは、四級化ジ（トリ）エタノールアミンを有するエステル結合又は類似の結合によって連結された、好ましくは、２つの疎水基を含むカチオン性界面活性化合物の総称である。
【００６８】
水性マイクロカプセル分散体の安定化に非イオン性界面活性剤を使用することが、特に有利であると証明されている。有利には、使用可能な化合物として、特に脂肪族アルコールエトキシレート、オキソアルコールエトキシレート、アルキルフェノールポリグリコールエーテル、脂肪酸エトキシレート、脂肪族アミンエトキシレート、エトキシル化トリアシルグリセロール、及び混合エーテル（両側がアルキル化されたポリエチレングリコールエーテル）、並びに、アルキルポリグルコシド、スクロースエステル、ソルビタンエステル、脂肪酸グルカミド、及びアミンオキシドが挙げられる。
【００６９】
しかしながら、水性マイクロカプセル分散体の所望の安定化という点において、オキソアルコールエトキシレートの使用が特に有利である。これらは、本発明の目的において最良の結果を可能にする。好ましいオキソアルコールエトキシレートは、９〜１５個の炭素原子を含み、好ましくは、３〜１５モルのエチレンオキシドが結合されているオキソアルコール由来のものである。本発明の目的において、１つの特に好ましいオキソアルコールエトキシレートは、７モルのエチレンオキシドが結合されているＣ１３〜Ｃ１５オキソアルコールである。好適な市販製品は、例えば、ＢＡＳＦのＬｕｔｅｎｓｏｌ（登録商標）  ＡＯ  ７である。オキソアルコールエトキシレートを使用すると、可逆性の凝集を完全に抑制できる。
【００７０】
上記安定化タンニン溶液は、液体洗剤又は洗浄剤の製造に特に有利である。したがって、液体洗剤又は洗浄剤を、好ましくは、タンニン溶液を洗剤又は洗浄剤マトリックス内で撹拌することによって、又は、液体洗剤又は洗浄剤内に連続的に添加し、静的混合要素を用いて成分を混合することによって、上記のようにタンニン溶液と混合する本発明による方法が、本発明の好ましい実施形態である。
【００７１】
安定化タンニン溶液は、固形洗剤又は洗浄剤の製造にも有利である。したがって、固形洗剤又は洗浄剤を、例えば、タンニン溶液を固形洗剤若しくは洗浄剤マトリックス上に、又は洗剤若しくは洗浄剤顆粒上に噴霧することによって、上記のようにタンニン溶液と混合する本発明による方法が、本発明の好ましい実施形態である。
【００７２】
また、特に有利であるのは、洗剤又は洗浄剤と混合される前に、タンニン溶液が顆粒である、固形洗剤又は洗浄剤の製造方法である。
【００７３】
本発明の別の主題は、本発明による洗剤又は洗浄剤（上記）を、好ましくは、全自動洗濯機において使用し、洗濯温度が≦６０℃、好ましくは≦４０℃である、布地の洗濯方法である。
【００７４】
布地後処理剤は、本発明による好ましい洗剤又は洗浄剤である。これらの布地後処理剤も同様に、本発明によって使用されるタンニン、並びに、界面活性剤及び／又はビルダーを含有する。これらは、カチオン性界面活性剤を含有する、好ましくは布地柔軟剤、すなわち布地後処理剤である。含まれる好ましいカチオン性界面活性剤は、エステルクワットである。エステルクワットは、好ましくは２つの疎水基を含み、そのそれぞれが、より容易な生分解性のために、いわゆる「所定の切断点」としてエステル基を含有する第四級アンモニウム化合物である。カチオン性界面活性剤の量は、製品全体に基づいて、それぞれの場合において、好ましくは２〜８０重量％、有利には４〜４０重量％、更に好ましくは６〜２０重量％、特に８〜１５重量％である。ポリ四級化ポリマー（例えば、ＢＡＳＦのＬｕｖｉｑｕａｔ（登録商標）Ｃａｒｅ）、並びに、カチオン性キチン系バイオポリマー及びこれらの誘導体、例えば、商標名Ｃｈｉｔｏｓａｎ（登録商標）で販売されているポリマー（製造業者：Ｃｏｇｎｉｓ）も、カチオン性界面活性剤として使用できる。
【００７５】
本発明の別の主題は、全自動洗濯機のすすぎサイクル中に本発明による布地後処理剤（上記）を使用する、布地処理法である。
【００７６】
本発明の別の主題は、全自動衣類乾燥機中で本発明による洗剤又は洗浄剤を使用する、布地乾燥法である。
【００７７】
本発明の別の主題は、全自動衣類乾燥機中で処理基材の形態の本発明による布地後処理剤を使用する、布地処理法である。
【００７８】
本発明の別の主題は、布地を処理するための、本発明による布地後処理剤の使用である。
【００７９】
本発明の目的において、好ましい製品は洗浄剤、特に硬質表面用洗浄剤でもある。これらも同様に、本発明によって使用されるタンニン、並びに、界面活性剤及び／又はビルダーを含有する。本発明の目的において、自動食洗機用洗剤に関して、洗浄添加剤として更に含まれるのは、収容体と、自動食洗機の脱臭及び芳香用粒子と、を含む、芳香剤送達系であり、当該粒子は、芳香族物質を含有するマイクロカプセルを含む。
【００８０】
本発明による洗浄剤が、食器用洗浄液、食洗機用洗浄剤、便器クリーナー及び風呂場クリーナー、パイプクリーナー及び配水管クリーナー、万能又は多目的クリーナー、トイレクリーナー、オーブンクリーナー及びグリルクリーナー、金属用洗浄剤、ガラスクリーナー及び窓用クリーナー、洗浄助剤、床クリーナー及び特殊洗浄剤からなる群から選択される場合、本発明の好ましい実施形態に相当する。
【００８１】
本発明の別の主題は、先に説明した本発明に従って使用できるタンニン、並びに、界面活性剤及び／又はビルダーを含む、粒子状洗剤又は洗浄剤添加剤である。
【００８２】
ここでは、これら本発明による上記タンニンを用いることで、これらが芳香族物質を含有する場合、表面、特に布地の水洗又は洗浄中に、特に有利な嗅覚的印象（増加した魅力／より高い強度／より良好な持続性）を得られることがわかっている。
【００８３】
本発明の別の主題は、機械的刺激によって、対象上への、好ましくは液体活性物質、例えば特に芳香族物質の標的化放出を可能にするために、水洗又は洗浄プロセスにおいて本発明による洗剤又は洗浄剤を用い、処理される対象（表面）上にタンニンを付着させることである。
【００８４】
本発明の別の主題は、水洗又は洗浄プロセスにおいて本発明による洗剤又は洗浄剤を用い、処理される対象（表面）上にタンニンを付着させることである。
【００８５】
補助物質
開示される組成物は、布地色調剤、漂白活性化剤、界面活性剤、ビルダー、キレート剤、移染阻害剤、分散剤、酵素及び酵素安定剤、触媒金属錯体、ポリマー系分散剤、粘度及び汚れ除去／再付着防止剤、増白剤、泡抑制剤、染料、追加の香料及び香料送達系、構造弾性化剤、布地柔軟剤、キャリア、ヒドロトロープ、加工助剤、並びに／又は顔料などの、追加の補助成分を含んでよい。出願者らの組成物の別の実施形態は、以下の補助材料、すなわち、布地色調剤、漂白活性化剤、界面活性剤、ビルダー、キレート剤、移染阻害剤、分散剤、酵素及び酵素安定剤、触媒金属錯体、ポリマー系分散剤、粘土及び汚れ除去／再付着防止剤、増白剤、泡抑制剤、染料、追加の香料及び香料送達系、構造弾性化剤、布地柔軟剤、キャリア、ヒドロトロープ、加工助剤、並びに／又は顔料のうち、１つ以上を含有しない。このような追加の構成成分の正確な性質及びそれを組み込む濃度は、組成物の物理形態及び使用される作業の性質に依存する。しかしながら、１つ以上の補助剤が存在する場合、かかる１つ以上の補助剤は、以下に詳述されるように存在することができる。以下は好適な追加の補助剤の非限定的な列挙である。
【００８６】
布地色調剤−この組成物は布地色調剤（シェーディング剤、青味剤、又は増白剤と呼ばれることもある）を含んでもよい。典型的には、色調剤は布地に青又は紫の色合いをもたらす。色調剤は、単独又は組み合わせのいずれかで使用して、特定の色調の色合いを作り出し、かつ／又は異なる種類の布地に色合いをつけることができる。これは、例えば赤と緑−青の染料とを混合して青又は紫の色合いを生じさせることにより提供され得る。色調剤は、任意の既知の化学分類の染料から選択されてよく、これらは、アクリジン、アントラキノン（多環式キノンを含む）、アジン、予備金属化（premetallized）されたアゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、これらに限定されない。
【００８７】
好適な布地色調剤は、染料、染料−粘土複合体（dye-clay conjugate）、並びに有機及び無機顔料を含む。好適な染料としては、小分子染料及びポリマー染料が挙げられる。好適な小分子染料としては、例えば、青、紫、赤、緑、又は黒に分類され、単独で又は組み合わせで所望の色合いをもたらす、酸性染料、直接染料、塩基性染料、反応性染料、若しくは加水分解した反応性染料、溶媒染料、又は分散染料の色指数（Ｃ．Ｉ．：Colour Index）分類に分類される染料からなる群から選択される小分子染料が挙げられる。別の態様では、好適な小分子染料としては、カラーインデックス（染色業者及びカラーリスト協会（Society of Dyers and Colourists，Ｂｒａｄｆｏｒｄ，ＵＫ））番号が、ダイレクトバイオレット染料９、３５、４８、５１、６６、及び９９等、ダイレクトブルー染料１、７１、８０、及び２７９等、アシッドレッド染料１７、７３、５２、８８、及び１５０等、アシッドバイオレット染料１５、１７、２４、４３、４９、及び５０等、アシッドブルー染料１５、１７、２５、２９、４０、４５、７５、８０、８３、９０、及び１１３等、アシッドブラック染料１等、ベーシックバイオレット染料１、３、４、１０、及び３５等、ベーシックブルー染料３、１６、２２、４７、６６、７５、及び１５９等、米国特許第８，２６８，０１６  Ｂ２号に記載されるもの等の分散又は溶剤染料、あるいは米国特許第７，２０８，４５９  Ｂ２号に開示されている染料、並びにこれらの混合物からなる群から選択される小分子染料が挙げられる。別の態様では、好適な小分子染料としては、Ｃ．Ｉ．番号アシッドバイオレット１７、アシッドブルー８０、アシッドバイオレット５０、ダイレクトブルー７１、ダイレクトバイオレット５１、ダイレクトブルー１、アシッドレッド８８、アシッドレッド１５０、アシッドブルー２９、アシッドブルー１１３、又はこれらの混合物からなる群から選択される小分子染料が挙げられる。
【００８８】
好適なポリマー染料は、例えばポリマーと色原体とを共重合してポリマーの主鎖にしたものなどの、共有結合した（複合したと呼ばれる場合もある）色原体を含有するポリマー（染料−ポリマー複合体）、及びこれらの混合物からなる群から選択されるポリマー染料を含む。ポリマー染料は、米国特許第７，６８６，８９２  Ｂ２号に記載されるものを含む。
【００８９】
別の態様では、好適なポリマー染料としては、Ｌｉｑｕｉｔｉｎｔ（登録商標）（Ｍｉｌｌｉｋｅｎ（Ｓｐａｒｔａｎｂｕｒｇ，Ｓｏｕｔｈ  Ｃａｒｏｌｉｎａ，ＵＳＡ））の名称で販売されている布地直接着色剤、少なくとも１つの反応染料と、ヒドロキシル部分、一級アミン部分、二級アミン部分、チオール部分及びそれらの混合物からなる群から選択される部分を含むポリマーからなる群から選択されるポリマーとから形成される染料−ポリマー複合体からなる群から選択されるポリマー染料が挙げられる。更に別の態様では、好適なポリマー染料は、Ｌｉｑｕｉｔｉｎｔ（登録商標）バイオレットＣＴ、Ｍｅｇａｚｙｍｅ，Ｗｉｃｋｌｏｗ，Ｉｒｅｌａｎｄから商品名ＡＺＯ−ＣＭ−ＣＥＬＬＵＬＯＳＥ、商品コードＳ−ＡＣＭＣで販売されているＣ．Ｉ．リアクティブブルー１９と複合しているＣＭＣなどのリアクティブブルー、リアクティブバイオレット、又はリアクティブレッドの染料に共有結合しているカルボキシメチルセルロース（ＣＭＣ）、アルコキシル化トリフェニール−メタンポリマー着色料、アルコキシル化チオフェンポリマー着色料、及びこれらの混合物からなる群から選択されるポリマー染料を含む。
【００９０】
好適な染料粘土複合体は、少なくとも１つのカチオン性／塩基性染料及びスメクタイト粘土、並びにこれらの混合物を含む群から選択される染料粘土複合体を含む。別の態様では、好適な染料粘土複合体は、Ｃ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１からなる群から選択される１つのカチオン性／塩基性染料と、モンモリロナイト粘土、ヘクトライト粘土、サポナイト粘土、及びこれらの混合物からなる群から選択される粘土と、からなる群から選択される、染料粘土複合体を含む。更に別の態様では、好適な染料粘土複合体としては、モンモリロナイトベーシックブルーＢ７  Ｃ．Ｉ．４２５９５複合体、モンモリロナイトベーシックブルーＢ９  Ｃ．Ｉ．５２０１５複合体、モンモリロナイトベーシックバイオレットＶ３  Ｃ．Ｉ．４２５５５複合体、モンモリロナイトベーシックグリーンＧ１  Ｃ．Ｉ．４２０４０複合体、モンモリロナイトベーシックレッドＲ１  Ｃ．Ｉ．４５１６０複合体、モンモリロナイトＣ．Ｉ．ベーシックブラック２複合体、ヘクトライトベーシックブルーＢ７  Ｃ．Ｉ．４２５９５複合体、ヘクトライトベーシックブルーＢ９  Ｃ．Ｉ．５２０１５複合体、ヘクトライトベーシックバイオレットＶ３  Ｃ．Ｉ．４２５５５複合体、ヘクトライトベーシックグリーンＧ１  Ｃ．Ｉ．４２０４０複合体、ヘクトライトベーシックレッドＲ１  Ｃ．Ｉ．４５１６０複合体、ヘクトライトＣ．Ｉ．ベーシックブラック２複合体、サポナイトベーシックブルーＢ７  Ｃ．Ｉ．４２５９５複合体、サポナイトベーシックブルーＢ９  Ｃ．Ｉ．５２０１５複合体、サポナイトベーシックバイオレットＶ３  Ｃ．Ｉ．４２５５５複合体、サポナイトベーシックグリーンＧ１  Ｃ．Ｉ．４２０４０複合体、サポナイトベーシックレッドＲ１  Ｃ．Ｉ．４５１６０複合体、サポナイトＣ．Ｉ．ベーシックブラック２複合体、及びこれらの混合物からなる群から選択される染料粘土複合体が挙げられる。
【００９１】
色調剤は、所望により精製工程を用いる染料分子の有機合成の結果として得られる、反応混合物の一部として、洗剤組成物に組み込んでもよい。このような反応混合物は、一般的に、染料分子そのものに加えて、未反応の出発物質及び／又は有機合成経路の副生成物も含み得る。
【００９２】
好適な高分子色調剤は、アルコキシル化されていてよい。全てのそのようなアルコキシル化化合物と同様に、有機合成は、異なる度合いのアルコキシル化を有する分子の混合物を生産し得る。そのような混合物は、色調剤を提供するために直接使用されてもよく、又は標的分子の割合を増加させるために精製工程を経てもよい。好適な顔料としては、フラバントロン、インダントロン、１〜４個の塩素原子を含む塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（そのイミド基は、非置換であっても、Ｃ１〜Ｃ３−アルキル基又はフェニル基又は複素環式基によって置換されていてもよく、そのフェニル基及び複素環式基は、水溶性を付与しない置換基を更に有してもよい）、アントラピリミジンカルボン酸アミド、ビオラントロン、イソビオラントロン、ジオキサジン顔料、１分子当たり最大２個の塩素原子を含んでよい銅フタロシアニン、１分子当たり最大１４個の臭素原子を含むポリクロロ−銅フタロシアニン又はポリブロモクロロ−銅フタロシアニン、並びにこれらの混合物からなる群から選択される顔料が挙げられる。別の態様では、好適な顔料としては、ウルトラマリンブルー（Ｃ．Ｉ．顔料ブルー２９）、ウルトラマリンバイオレット（Ｃ．Ｉ．ピグメントバイオレット１５）、モナスタールブルー（Monastral Blue）、及びこれらの混合物が挙げられる。
【００９３】
上記の布地色調剤は、組み合わせて用いることができる（布地色調剤のいずれの混合物も用いることができる）。
【００９４】
付着助剤−１つの態様では、布地処理組成物は、約０．０１％〜約１０％、約０．０５〜約５％、又は約０．１５〜約３％の付着助剤を含んでもよい。一態様では、付着助剤は、カチオン性又は両性ポリマーであってよい。別の態様では、付着助剤は、カチオン性ポリマーであってもよい。一般にカチオン性ポリマー及びその製造方法は、文献において知られている。一態様において、カチオン性ポリマーは、組成物のｐＨで、約０．００５〜約２３ｍｅｑ／ｇ、約０．０１〜約１２ｍｅｑ／ｇ、又は約０．１〜約７ｍｅｑ／ｇのカチオン性電荷密度を有することができる。電荷密度が組成物のｐＨに依存するアミン含有ポリマーの場合、電荷密度は製品の目的の用途のｐＨで測定される。そのようなｐＨは、一般的に約２〜約１１、より一般的には約２．５〜約９．５の範囲である。電荷密度は、繰り返し単位当たりの正味電荷数を、繰り返し単位の分子量で除することにより計算される。正電荷は、ポリマーの主鎖上及び／又はポリマーの側鎖上に位置してもよい。
【００９５】
別の態様では、付着助剤は、カチオン性アクリル系ポリマーを含んでもよい。更なる態様では、付着助剤は、カチオン性ポリアクリルアミドを含んでもよい。別の態様では、付着助剤は、ポリアクリルアミド及びポリメタクリルアミドプロピルトリメチルアンモニウムカチオンを含むポリマーを含んでもよい。別の態様では、付着助剤は、ポリ（アクリルアミド−Ｎ−ジメチルアミノエチルアクリレート）及びその四級化誘導体を含んでもよい。
【００９６】
別の態様では、付着助剤は、カチオン性又は両性多糖類からなる群から選択することができる。一態様では、付着助剤は、カチオン性及び両性セルロースエーテル、カチオン性又は両性ガラクトマンナン、カチオン性グアーガム、カチオン性又は両性デンプン、並びにこれらの組み合わせからなる群から選択され得る。
【００９７】
好適なカチオン性ポリマーの別の群としては、アミン及びオリゴアミンとエピクロロヒドリンとの反応生成物であるアルキルアミン−エピクロロヒドリンポリマーを挙げることができる。好適な合成カチオン性ポリマーの別の群としては、ポリアルキレンポリアミンとポリカルボン酸とのポリアミドアミン−エピクロロヒドリン（ＰＡＥ）樹脂を挙げることができる。最も一般的なＰＡＥ樹脂は、ジエチレントリアミンとアジピン酸との縮合と、後続のエピクロロヒドリンとの反応による生成物である。
【００９８】
ポリマーの重量平均分子量は、ＲＩ検出を用いたポリエチレンオキシド標準に対して、サイズ排除クロマトグラフィーによって決定される場合、約５００ダルトン〜約５，０００，０００ダルトン、又は約１，０００ダルトン〜約２，０００，０００ダルトン、又は約２，５００ダルトン〜約１，５００，０００ダルトンであってよい。一態様では、カチオン性ポリマーの分子量は、約５００ダルトン〜約３７，５００ダルトンであってもよい。
【００９９】
界面活性剤：使用される界面活性剤は、アニオン性、非イオン性、双性イオン性、両性、若しくはカチオン性の種類のものであってもよく、又はこれらの種類の界面活性剤の相容性混合物を含んでもよい。布地ケア製品が洗濯洗剤の場合、典型的にはアニオン性界面活性剤及び非イオン性界面活性剤が使用される。その一方で、布地ケア製品が布地柔軟剤の場合は、典型的にはカチオン性界面活性剤が使用される。
【０１００】
アニオン性界面活性剤に加えて、本発明の布地ケア組成物は、非イオン性界面活性剤を更に含有してもよい。本発明の組成物は、組成物の最大約３０重量％、あるいは約０．０１重量％〜約２０重量％、あるいは約０．１重量％〜約１０重量％の非イオン性界面活性剤を含有することができる。一実施形態では、非イオン性界面活性剤は、エトキシル化非イオン性界面活性剤を含んでもよい。本明細書に使用するのに好適であるのは、式Ｒ（ＯＣ２Ｈ４）ｎＯＨのエトキシル化アルコール及びエトキシル化アルキルフェノール（式中、Ｒは、約８〜約２０個の炭素原子を含有する脂肪族炭化水素ラジカル、及びアルキル基が約８〜約１２個の炭素原子を含有するアルキルフェニルラジカルからなる群から選択され、ｎの平均値は約５〜約１５である）である。
【０１０１】
好適な非イオン性界面活性剤は、式Ｒ１（ＯＣ２Ｈ４）ｎＯＨのものであり、式中、Ｒ１は、Ｃ１０〜Ｃ１６アルキル基又はＣ８〜Ｃ１２アルキルフェニル基であり、ｎは、３〜約８０である。一態様では、特に有用な物質は、Ｃ９〜Ｃ１５アルコールと、アルコール１モル当たり約５〜約２０モルのエチレンオキシドとの縮合生成物である。
【０１０２】
本発明の布地ケア組成物は、組成物の最大約３０重量％、あるいは約０．０１重量％〜約２０重量％、あるいは約０．１重量％〜約２０重量％のカチオン性界面活性剤を含有することができる。本発明の目的に関して、カチオン性界面活性剤には、布地ケア利益をもたらすことができるものが挙げられる。有用なカチオン性界面活性剤の非限定的な例としては、脂肪族アミン；第四級アンモニウム界面活性剤；及びイミダゾリン第四級アンモニウム化合物材料が挙げられる。
【０１０３】
布地柔軟化活性物質の非限定例は、Ｎ，Ｎ−ビス（ステアロイル−オキシ−エチル）Ｎ，Ｎ−ジメチルアンモニウムクロリド、Ｎ，Ｎ−ビス（タローイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウム硫酸メチル；１，２ジ（ステアロイル−オキシ）３トリメチルアンモニウムプロパンクロリド；ジカノーラジメチルアンモニウムクロリド、ジ（ハード）タロージメチルアンモニウムクロリド、ジカノーラジメチルアンモニウムメチルサルフェートなどのジアルキレンジメチルアンモニウム塩；１−メチル−１−ステアロイルアミドエチル−２−ステアロイルイミダゾリニウムメチルサルフェート；１−タロイルアミドエチル−２−タロイルイミダゾリン；Ｎ，Ｎ”−ジアルキルジエチレントリアミン；脂肪酸が、（水素添加）タロー脂肪酸、パーム脂肪酸、水素添加パーム脂肪酸、オレイン酸、菜種脂肪酸、水素添菜種脂肪酸である脂肪酸でエステル化されたＮ−（２−ヒドロキシエチル）−１，２−エチレンジアミン又はＮ−（２−ヒドロキシイソプロピル）−１，２−エチレンジアミンとグリコール酸との反応生成物；ポリグリセロールエステル（ＰＧＥｓ）、油状糖誘導体、及びワックスエマルション並びに上記の混合物である。
【０１０４】
上記に開示されている柔軟剤活性物質の組み合わせが、本明細書で使用するのに好適であることが理解されよう。
【０１０５】
ビルダー−本組成物はまた、約０．１重量％〜８０重量％のビルダーを含んでもよい。液体形態の組成物は、一般的に約１重量％〜１０重量％のビルダー成分を含有する。顆粒形態の組成物は、一般的に約１重量％〜５０重量％のビルダー成分を含有する。洗剤ビルダーは、当該技術分野において周知であり、例えばリン酸塩、並びに様々な有機及び無機非リンビルダーを含むことができる。本明細書で有用な水溶性非リン有機ビルダーとしては、様々なアルカリ金属、アンモニウム、並びに置換アンモニウムのポリ酢酸塩、カルボン酸塩、ポリカルボン酸塩、及びポリヒドロキシスルホン酸塩が挙げられる。ポリアセテートビルダー及びポリカルボン酸塩ビルダーの例には、エチレンジアミン四酢酸、ニトリロ三酢酸、オキシジコハク酸、メリト酸、ベンゼンポリカルボン酸、及びクエン酸の、ナトリウム塩、カリウム塩、リチウム塩、アンモニウム塩、及び置換アンモニウム塩がある。別のポリカルボン酸塩ビルダーは、オキシジスクシネート、タータラートモノスクシネートとタータラートジスクシネートとの組み合わせを含むエーテルカルボキシレートビルダー組成物である。液体洗剤で使用されるビルダーは、クエン酸を含む。好適な非リン系の無機ビルダーとしては、シリケート、アルミノシリケート、ボレート及びカーボネート（ナトリウム及びカリウム炭酸塩、重炭酸塩、セスキ炭酸塩、四ホウ酸塩十水和物など）が挙げられ、シリケートは、アルカリ金属酸化物に対して重量比約０．５〜約４．０又は約１．０〜約２．４のＳｉＯ２を有する。ゼオライトなどのアルミノシリケートもまた有用である。
【０１０６】
分散剤−本組成物は、ホモ重合酸若しくは共重合酸又はその塩である約０．１重量％〜約１０重量％の分散剤として好適な水溶性有機材料を含有してもよく、ポリカルボン酸は、２個以下の炭素原子により互いに分離した少なくとも２つのカルボキシル基を含有し得る。分散剤は、ポリアミンのアルコキシル化誘導体及び／又は四級化誘導体であってもよい。
【０１０７】
酵素−組成物は、洗浄性能、及び／又は布地ケア利益を提供する１種以上の洗剤酵素を含有してもよい。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられる。典型的な組み合わせは、プロテアーゼ、リパーゼ、クチナーゼ、及び／又はセルラーゼのような従来の適用可能な酵素をアミラーゼと組み合わせた混合液であってもよい。酵素は、その技術分野で教示される濃度、例えば、Ｎｏｖｏｚｙｍｅｓ社及びＤｕＰｏｎｔ社のＧｅｎｅｎｃｏｒ  Ｄｉｖｉｓｉｏｎのような供給元によって推奨される濃度で使用することができる。本組成物中の典型的な濃度は、約０．０００１％〜約５％である。酵素が存在する場合、これらは非常に低レベルで、例えば、約０．００１％以下で使用することができ、又は、これらは高レベルで、例えば約０．１％以上で、ヘビーデューティー（heavier-duty）洗濯洗剤配合物に使用することができる。一部の消費者の「非生物学的な」洗剤に対する好みにより、本組成物は酵素含有及び酵素不含のいずれかあるいはその両方であってよい。
【０１０８】
移染阻害剤−本組成物はまた、組成物の約０．０００１重量％、約０．０１重量％、約０．０５重量％〜約１０重量％、約２重量％、又は更には約１重量％の１種以上の移染阻害剤（ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール又はこれらの混合物等）を含み得る。
【０１０９】
キレート剤−前記組成物は、約５％未満、又は約０．０１％〜約３％の、シトレートなどのキレート剤；ＥＤＤＳ、ＥＤＴＡ及びＤＴＰＡなどの、窒素を含有する、Ｐ−フリーのアミノカルボキシレート；ジエチレントリアミンペンタメチレンホスホン酸及びエチレンジアミンテトラメチレンホスホン酸などのアミノホスフォネート；窒素フリーホスホネート、例えば、ＨＥＤＰ；及び漂白剤触媒系の使用で知られているものなどの一般的な部類の特定の大環状Ｎ−リガンド化合物などの、窒素又は酸素を含有するＰフリーカルボキシレートフリーのキレート剤、を含んでよい。
【０１１０】
増白剤−本組成物はまた増白剤（「蛍光増白剤」とも呼ばれる）を含んでもよく、蛍光を呈する任意の化合物（紫外線を吸収し「青色」の可視光として再放出する化合物が挙げられる）を含み得る。有用な増白剤の非限定的な例としては、スチルベンの誘導体又は４，４’−ジアミノスチルベン、ビフェニル、５員複素環（例えば、トリアゾール、ピラゾリン、オキサゾール、イミダゾール等）、又は６員複素環（クマリン、ナフタルアミド、ｓ−トリアジン等）が挙げられる。カチオン性、アニオン性、非イオン性、両性、及び双極イオン性増白剤が使用できる。好適な増白剤としては、商品名Ｔｉｎｏｐａｌ−ＵＮＰＡ−ＧＸ（登録商標）でＣｉｂａ  Ｓｐｅｃｉａｌｔｙ  Ｃｈｅｍｉｃａｌｓ  Ｃｏｒｐｏｒａｔｉｏｎ（Ｈｉｇｈ  Ｐｏｉｎｔ，ＮＣ）により市販されているものが挙げられる。
【０１１１】
漂白剤系−本明細書に用いるのに好適な漂白剤系は、１種以上の漂白剤を含有する。好適な漂白剤の非限定的な例としては、触媒金属の錯体；活性化過酸素源；漂白活性化剤；漂白促進剤；光漂白剤；漂白酵素；フリーラジカル開始剤；Ｈ２Ｏ２；次亜ハロゲン酸漂白剤；過ホウ酸塩及び／又は過炭酸塩を含む過酸素源、並びにその組み合わせが挙げられる。好適な漂白活性化剤としては、テトラアセチルエチレンジアミン、オクタノイルカプロラクタム、ベンゾイルオキシベンゼンスルホネート、ノナノイルオキシベンゼンスルホネート、ベンゾイルバレロラクタム、ドデカノイルオキシベンゼンスルホネートなどの、過加水分解性エステル及び過加水分解性イミドが挙げられる。その他の漂白剤としては、定義された安定度定数の遷移金属と配位子との金属錯体が挙げられる。
【０１１２】
構造剤／増粘剤
１ジ−ベンジリデンポリオールアセタール誘導体
流体洗剤組成物は、約０．０１重量％〜約１重量％、又は約０．０５重量％〜約０．８重量％、又は約０．１重量％〜約０．６重量％、又は更に約０．３重量％〜約０．５重量％のジベンジリデンポリオールアセタール誘導体（ＤＢＰＡ）を含み得る。好適なＤＢＰＡ分子の非限定例は、米国特許第６１／１６７６０４号に開示されている。一態様では、ＤＢＰＡ誘導体は、ジベンジリデンソルビトールアセタール誘導体（ＤＢＳ）を含んでもよい。該ＤＢＳ誘導体は、以下からなる群から選択され得る：１，３：２，４−ジベンジリデンソルビトール；１，３：２，４−ジ（ｐ−メチルベンジリデン）ソルビトール；１，３：２，４−ジ（ｐ−クロロベンジリデン）ソルビトール；１，３：２，４−ジ（２，４−ジメチルジベンジリデン）ソルビトール；１，３：２，４−ジ（ｐ−エチルベンジリデン）ソルビトール；及び１，３：２，４−ジ（３，４−ジメチルジベンジリデン）ソルビトール又はこれらの混合物。これら及び他の好適なＤＢＳ誘導体は、米国特許第６，１０２，９９９号の欄２の４３行目から欄３の６５行目に開示されている。
【０１１３】
２細菌セルロース
また、流体洗剤組成物は、約０．００５重量％〜約１重量％の細菌セルロース網状構造物を含み得る。用語「細菌セルロース」は、ＣＰＫｅｌｃｏ  Ｕ．Ｓ．によるＣＥＬＬＵＬＯＮ（登録商標）などのアセトバクター属の細菌の発酵によって生成された任意の種類のセルロースを包含し、かつ、ミクロフィブリル化セルロース、網目状細菌セルロースなどと一般に称される材料を含む。好適な細菌セルロースのいくつかの例は、米国特許第６，９６７，０２７号；同第５，２０７，８２６号；同第４，４８７，６３４号；同第４，３７３，７０２号；同第４，８６３，５６５号及び同第２００７／００２７１０８号にて見出すことができる。一態様では、その繊維の断面寸法は、１．６ｎｍ〜３．２ｎｍ×５．８ｎｍ〜１３３ｎｍである。更に、細菌セルロース繊維の平均ミクロ繊維長は、少なくとも約１００ｎｍ、又は約１００〜約１，５００ｎｍである。一態様では、細菌セルロースミクロ繊維は、約１００：１〜約４００：１、又は更には約２００：１〜約３００：１のアスペクト比、すなわち、平均ミクロ繊維の長さをミクロ繊維の最大断面幅で除したものを有する。
【０１１４】
３被覆された細菌セルロース
一態様では、細菌セルロースは、高分子増粘剤で少なくとも部分的に被覆される。少なくとも部分的に被覆された細菌セルロースは、米国特許出願第２００７／００２７１０８号の段落８〜１９に開示されている方法に従って作製することができる。一態様では、少なくとも部分的に被覆された細菌セルロースは、約０．１重量％〜約５重量％、又は約０．５重量％〜約３重量％の細菌セルロース；及び約１０重量％〜約９０重量％の高分子増粘剤を含む。好適な細菌セルロースは、上述の細菌セルロースを含み、好適なポリマー増粘剤は、カルボキシメチルセルロース、カチオン性ヒドロキシメチルセルロース、及びこれらの混合物を含んでよい。
【０１１５】
４非細菌セルロース由来のセルロース繊維
一態様では、組成物は、組成物の約０．０１重量％〜約５重量％のセルロース繊維を更に含み得る。該セルロース繊維は野菜、果物又は木材から抽出され得る。市販の例は、ＦＭＣのＡｖｉｃｅｌ（登録商標）、ＦｉｂｅｒｓｔａｒのＣｉｔｒｉ−Ｆｉ、又はＣｏｓｕｎのＢｅｔａｆｉｂである。
【０１１６】
５非高分子結晶質ヒドロキシル官能性物質
一態様では、組成物は、組成物の約０．０１重量％〜約１重量％の非高分子結晶質ヒドロキシル官能性構造化剤を更に含み得る。該非高分子結晶質ヒドロキシル官能性構造化剤は、一般的に、最終流体洗剤組成物への分散を補助するために予め乳化が可能な結晶性グリセリドを含み得る。一態様では、結晶性グリセリドとしては、液体洗剤組成物において結晶化させることができる限り、硬化ヒマシ油又は「ＨＣＯ」又はその誘導体が挙げられる。
【０１１７】
６高分子構造剤
本発明の流体洗剤組成物は、約０．０１重量％〜約５重量％の天然由来及び／又は合成の高分子構造化剤を含み得る。本発明で用いる天然由来のポリマー構造剤の例としては、ヒドロキシエチルセルロース、疎水変性ヒドロキシエチルセルロース、カルボキシメチルセルロース、多糖誘導体、及びこれらの混合物が挙げられる。好適な多糖誘導体は、ペクチン、アルギネート、アラビノガラクタン（アラビアゴム）、カラギーナン、ジェランガム、キサンタンガム、グアーガム、及びこれらの混合物を含む。本発明で用いる合成ポリマー構造剤の例としては、ポリカルボキシレート、ポリアクリレート、疎水性変性エトキシル化ウレタン、疎水性変性非イオン性ポリオール、及びこれらの混合物が挙げられる。一態様では、該ポリカルボキシレートポリマーは、ポリアクリレート、ポリメタクリレート、又はこれらの混合物である。別の態様では、ポリアクリレートは、不飽和モノ−又はジ−炭酸と、（メタ）アクリル酸のＣ１〜Ｃ３０アルキルエステルとのコポリマーである。当該コポリマーは、商品名Ｃａｒｂｏｐｏｌ  Ａｑｕａ  ３０としてＮｏｖｅｏｎ  ｉｎｃから入手可能である。
【０１１８】
７ジ−アミド−ゲル化剤
一態様では、本外部構造化系は、分子量が約１５０ｇ／モル〜約１，５００ｇ／モル、又は更には約５００ｇ／モル〜約９００ｇ／モルのジアミドゲル化剤を含み得る。このようなジアミドゲル化剤は、少なくとも２個の窒素原子を含んでよく、該窒素原子のうちの少なくとも２個は、アミド官能性置換基を形成する。一態様では、アミド基は異なるものである。別の態様では、アミド官能性基は同じものである。ジアミドゲル化剤は、下記の式を有する。
【０１１９】
【化５】
2018505944.tif 000007
式中、
Ｒ１及びＲ２は、アミノ官能性末端基、又は更にはアミド官能性末端基であり、１つの態様では、Ｒ１及びＲ２は、ｐＨ調整可能基を含んでよく、ｐＨ調整可能なアミドゲル化剤は、約１〜約３０、又は更には約２〜約１０のｐＫａを有し得る。）一態様では、ｐＨ調整可能基は、ピリジンを含んでよい。一態様では、Ｒ１とＲ２とは異なっていてよい。別の態様では、同じであってもよい。
【０１２０】
Ｌは、１４〜５００ｇ／モルの分子量の連結部分である。１つの態様では、Ｌは、２〜２０個の炭素原子を含む炭素鎖を含んでよい。別の態様では、Ｌは、ｐＨ調整可能基を含んでよい。一態様では、ｐＨ調整可能基は、二級アミンである。
【０１２１】
１つの態様では、Ｒ１、Ｒ２又はＬのうちの少なくとも１つは、ｐＨ調整可能基を含み得る。
【０１２２】
ジアミドゲル化剤の非限定的な例は、次のとおりである。
【０１２３】
Ｎ，Ｎ’−（２Ｓ，２’Ｓ）−１，１’−（ドデカン−１，１２−ジイルビス（アザンジイル））ビス（３−メチル−１−オキソブタン−２，１−ジイル）ジイソニコチンアミド；
【０１２４】
【化６】
2018505944.tif 000008
ジベンジル（２Ｓ，２’Ｓ）−１，１’−（プロパン−１，３−ジイルビス（アザンジイル））ビス（３−メチル−１−オキソブタン−２，１−ジイル）ジカルバメート；
【０１２５】
【化７】
2018505944.tif 000009
ジベンジル（２Ｓ，２’Ｓ）−１，１’−（ドデカン−１，１２−ジイルビス（アザンジイル））ビス（１−オキソ−３−フェニルプロパン−２，１−ジイル）ジカルバメート。
【０１２６】
【化８】
2018505944.tif 000010
【０１２７】
シリコーン−好適なシリコーンは、Ｓｉ−Ｏ部分を含み、また、（ａ）非官能化シロキサンポリマー、（ｂ）官能化シロキサンポリマー、及びこれらの組み合わせから選択することができる。オルガノシリコーンの分子量は通常、材料の粘度を参照することにより示される。一態様では、有機シリコーンは、２５℃で約１０〜約２，０００，０００ｍｍ２／ｓ（約１０〜約２，０００，０００センチストークス）の粘度を有し得る。別の態様では、好適な有機シリコーンは、２５℃で約１０〜約８００，０００ｍｍ２／ｓ（約１０〜約８００，０００センチストークス）の粘度を有し得る。
【０１２８】
好適なオルガノシリコーンは、直鎖状であっても、分枝状であっても、又は架橋されていてもよい。
【０１２９】
一態様では、オルガノシリコーンは、環状シリコーンを含んでもよい。環状シリコーンは、式［（ＣＨ３）２ＳｉＯ］ｎ（式中、ｎは、約３〜約７、又は約５〜約６の範囲であり得る整数である）のシクロメチコンを含み得る。
【０１３０】
一態様では、オルガノシリコーンは、官能化シロキサンポリマーを含んでもよい。官能化シロキサンポリマーは、アミノ、アミド、アルコキシ、ヒドロキシ、ポリエーテル、カルボキシ、ヒドリド、メルカプト、サルフェートホスフェート、及び／又は第四級アンモニウム部分からなる群から選択される１つ以上の官能性部分を含んでもよい。これらの部分は、二価アルキレンラジカルを通してシロキサン主鎖に直接結合してもよく（即ち、「ペンダント」）、又は主鎖の一部であってもよい。好適な官能化シロキサンポリマーとしては、アミノシリコーン、アミドシリコーン、シリコーンポリエーテル、シリコーン−ウレタンポリマー、第四級ＡＢｎシリコーン、アミノＡＢｎシリコーン、及びこれらの組み合わせからなる群から選択される材料が挙げられる。
【０１３１】
一態様では、官能化シロキサンポリマーは、「ジメチコンコポリオール」とも称される、シリコーンポリエーテルを含み得る。一般に、シリコーンポリエーテルは、１本以上のポリオキシアルキレン鎖を有するポリジメチルシロキサン主鎖を含む。ポリオキシアルキレン部分は、ペンダント鎖として、又は末端ブロックとしてポリマーに組み込まれ得る。別の態様では、官能化シロキサンポリマーは、アミノシリコーンを含んでもよい。
【０１３２】
一態様では、オルガノシリコーンは、アミンＡＢｎシリコーン、及び第四級ＡＢｎシリコーンを含んでもよい。かかるオルガノシリコーンは、一般的に、ジアミンをエポキシドと反応させることによって生成される。
【０１３３】
別の態様では、官能化シロキサンポリマーはシリコーン−ウレタンを含んでよい。これらは、商品名ＳＬＭ−２１２００（登録商標）としてＷａｃｋｅｒ  Ｓｉｌｉｃｏｎｅｓから市販されている。
【０１３４】
香料：任意の香料成分は、次の（１）〜（４）からなる群から選択される成分を含んでもよい。
（１）香料担体とカプセル化香料組成物とを含む、香料マイクロカプセル、又は水分活性化香料マイクロカプセル、ここで、該香料担体は、シクロデキストリン、デンプンマイクロカプセル、多孔質担体マイクロカプセル、及びこれらの混合物からなる群から選択され得、該カプセル化香料組成物は、低揮発性香料成分、高揮発性香料成分、及びこれらの混合物を含み得る；
（２）プロ香料；
（３）低嗅覚閾値香料成分、ここで、該低嗅覚閾値香料成分は、正味の総香料組成物の約２５重量％未満を占めてもよい；並びに
（４）これらの混合物；並びに
【０１３５】
多孔質キャリアマイクロカプセル−多重使用布地処理組成物中の遊離香料の量を低減させるために、香料組成物の一部が多孔質キャリア（ゼオライト又は粘土など）の上及び／又は中に吸収されて、香料の多孔質キャリアマイクロカプセルを形成することもできる。
【０１３６】
プロ香料−香料組成物は、プロ香料を追加的に含んでもよい。プロ香料は、例えば、簡単な加水分解の結果として香料物質を放出又は香料物質に変換する不揮発性物質を含んでもよく、あるいはｐＨ変化誘発プロ香料（例えば、ｐＨ低下で誘発される）であってもよく、又は酵素的に放出可能なプロ香料、若しくは光誘発のプロ香料であってもよい。プロ香料は、選択されたプロ香料に応じて異なる放出速度を示すことができる。
【０１３７】
使用方法
悪臭を低減させる方法あって、
ａ）所望により、部位を洗浄すすぎ、及び／又は乾燥すること；
ｂ）本明細書にて開示した任意の洗浄製品及び／又は処理製品により、部位を処理すること；並びに
ｃ）所望により、前記部位を洗浄すすぎ、及び／又は乾燥すること、
ここで、前記乾燥することが受動的に乾燥すること及び／又は能動的に乾燥することであること、とを含む、方法。
【０１３８】
好ましくは、前記部位は十分に処理されて、総部位重量を基準として約０．００１ｐｐｍ〜約１００ｐｐｍのタンニンを伴う部位を提供する。
【０１３９】
処理液
総処理液重量を基準として、約０．００１ｐｐｍ〜約５００ｐｐｍ、約０．００１ｐｐｍ〜約３００ｐｐｍ、より好ましくは約０．０１ｐｐｍ〜約１００ｐｐｍのタンニンを含む処理液を開示する。
【０１４０】
タンニン濃縮試験方法
ＵＶ−分光分析法は、液体試験組成物中、若しくは固体又は単位用量試験組成物中、あるいは試験組成物の洗浄液中のタンニンの濃度を測定するのに使用される。１つの好適なＵＶ−分光分析装置は、株式会社島津製作所（日本、京都）（Ｓｈｉｍａｄｚｕ  Ｃｏｒｐｏｒａｔｉｏｎ，Ｋｙｏｔｏ，Ｊａｐａｎ）製のＵＶ１８００モデルである。試験組成物のサンプル材料を調製して、分光法的に測定される溶液である、液体試験サンプルを生成する。ＵＶ−分光分析法分析は、長さ０．４ｃｍの光路、及び２８０ｎｍの波長で測定される吸光度を伴う、伝送モードで実施される。２つの内部スパーク較正曲線を発生させてタンニン濃度を測定するために、既知のタンニンの２つの標準基準材料を希釈系にて準備する。これら２つの標準基準材料は、タンニン酸及び（−）−エピガロカテキン没食子酸塩（目録番号１６２０１及び９３８９４として、それぞれシグマ・アルドリッチ社（米国ミズーリ州セントルイス）（Ｓｉｇｍａ  Ａｌｄｒｉｃｈ  Ｃｏ．ＬＬＣ，Ｓｔ．Ｌｏｕｉｓ，ＭＯ，ＵＳＡ）から入手可能）である。
【０１４１】
固体又は単位用量試験組成物を、最初に（２５℃で固体組成物を完全に溶解させるのに十分な）既知の脱イオン水量中に溶解させる。固体又は単位用量試験組成物のサンプルを、初めに等しい脱イオン水量中に溶解させて、５０％（ｗｔ／ｗｔ）の溶液を生成する。攪拌及び２５℃の温度まで加熱することが、３０分以内の溶解に必要であり得る。なお、固体組成物の完全な溶解には水が必要であり、次に、最初の水添加と同量を有する各逐次的添加をもって、１回以上の追加の脱イオン水量を添加する。組成物の完全な溶解を得るために、最低回数の水添加を使用する。得られた溶液は、試験する固体又は単位用量試験組成物用に分析される、液体試験サンプルである。
【０１４２】
液体試験組成物を、等量の脱イオン水で希釈して、５０％（ｖ／ｖ）の溶液を生成する。得られた溶液は、試験する流体組成物用に分析される、液体試験サンプルである。
【０１４３】
洗浄液のサンプルを、以下の手順に従い生成する。
【０１４４】
タンニン溶媒の調製
１：１：１（水：エタノール：エチレングリコール）の溶液を作成することにより、タンニン溶媒を調製する。量り上でガラスジャーを量り、かつ２５ｍｇの水を前記ジャーに添加する。量りを次に再度ゼロにし、かつ２５ｇのエタノールを水を含むジャーに添加する。量りを再度ゼロにし、かつ水とエタノールの混合物に２５ｇのエチレングリコールを添加する。次に前記ジャーを蓋で封止し、振盪させて混合する。
【０１４５】
タンニン作用液の調製
タンニン溶媒中で２％のタンニン材料の混合物を作成することにより、タンニン作用液を調製する。量り上でガラスジャーを量り、かつ０．４ｇのタンニン抽出物を前記ジャーに添加する。次に、タンニン溶媒を、２０ｇの測定重量に達するまで前記ジャーに添加する。前記ジャーを蓋で封止し、超音波破砕機内に置いて、混合物を３０分間音波処理する。
【０１４６】
液体洗濯用洗剤＋タンニンの調製
秤でガラスジャーを量り、かつ０．２ｇのタンニン作用液をガラスジャーに添加することにより、０．２％のタンニン作用液を含有する液体洗濯用洗剤の混合物を調製する。液体洗濯用洗剤を次に、重量が１００ｇに達するのを測定するまでジャーに添加する。
【０１４７】
洗浄液の調製
タンニンを含む０．０９５％の液体洗濯用洗剤を含有する水の混合物を、調製する。円筒型容器を秤で量り、かつ７．２ｇの液体洗濯用洗剤＋タンニンを円筒型容器に添加する。秤を次に再度ゼロにし、かつ７．５７ｋｇで３２℃の、０．１ｇ／Ｌ（７ｇｐｇ）の水を円筒型容器に添加する。洗浄液を次に、撹拌するための傾斜したインペラを伴うオーバーヘッドミキサーを使用することにより、ブレンドして混合する。
【０１４８】
得られた溶液は、試験される本組成物の洗浄液中のタンニン濃度を決定するために分析される、液体試験サンプルである。
【０１４９】
２つの内部較正曲線は、２種の別々のタンニンスパイクサンプル溶液（片方は、２種の標準タンニンのそれぞれから発生）を生成することにより発生する。各タンニンスパイクサンプル溶液は、本明細書で所与の指示に従い調製された液体試験サンプルの一定分量において、１％の標準タンニン最終濃度（ｗｔ／ｖ）を含む。得られた２種のタンニンスパイクサンプル溶液のそれぞれは次に、その後に希釈系を生成するために使用される。
【０１５０】
希釈系は、調製された各液体試験サンプル又はタンニンスパイクサンプル溶液から生成される。各希釈系は、それぞれが異なる最終濃度を有する一連の５種の希釈液を得るために、緩衝剤及び脱イオン水により調製される。希釈系における各５種の溶液における、液体試験液又はタンニンスパイクサンプル溶液の最終濃度（適切であるとする）は、次のとおりである。１００ｐｐｍ；５０ｐｐｍ；２５ｐｐｍ；１０ｐｐｍ；及び０ｐｐｍ。希釈系における各溶液は１ｍＬの最終量を有し、またｐＨ７．１で、９９０ｎＬの２０ｍＭ  ＭＯＰＳ（３−（Ｎ−モルホリノ）プロパンスルホン酸）緩衝剤を含む。脱イオン水の残りの量、及び液体試験サンプル又はタンニン原液のいずれかは、前記５種の特定された濃度を得るために、必要に応じて調整される。
【０１５１】
試験される各材料は、３種の系（即ち、液体試験サンプル、第１タンニンスパイク標準サンプル、及び第２タンニンスパイク標準サンプル）で５種の希釈溶液から生じた、全部で１５種の流体を生じる。各１５種の流体を、ＵＶ−分光分析装置で測定し、また２８０ｎｍでの吸光度値を３回測定する。３つの測定の平均が、当該流体のために記録した吸光度値である。
【０１５２】
３種の系から測定された吸光度値は、３つのデータ系のそれぞれに適合するグラフ曲線及び直線で描かれる。２種のタンニンスパイク標準サンプルからくる線の傾斜は次に、液体試験サンプルからくる線の傾斜と比較される。液体試験サンプルの線に最も類似した傾斜を有するタンニンスパイク標準サンプルを同定し、かつ更なる分析用に選択する。最小限度で類似した傾斜は、棄却される。最も類似したタンニンスパイク基準線の、吸光度値の範囲が液体試験サンプルの吸光度値の範囲と重ならない場合、次に追加の較正希釈系が調製され、測定される。この新規の希釈系は、新規の線状較正曲線が液体試験サンプル系からくる吸光度値にわたって適合する直線と重なり合うように、修正された濃度で調製される。２つの線が交差する地点は液体試験サンプル中のタンニンの濃度を示し、かつ元の試験材料中に存在するタンニンの濃度を逆算するのに使用される。
【実施例】
【０１５３】
Ｉ．合成実施例：
マツの樹皮を空気乾燥させた。ワイリーミリング後、マツの樹皮を１：５液中で２％のＮａ２ＣＯ３−抽出物に供した。混合物を、２時間の間還流させた。固体残渣を濾過して落とし、またＨＣＩで慎重に中和させた後に、溶媒を回転蒸発により除去した。
【０１５４】
使用実施例
手洗い用又は洗濯機、典型的にはトップローディング式洗濯機用顆粒状洗濯洗剤組成物
【０１５５】
【表２】
2018505944.tif 000011
【０１５６】
ＩＩ．２典型的にはフロントローディング式自動洗濯機用の顆粒状洗濯洗剤組成物。一般的なｐＨは約１０である。
【０１５７】
【表３】
2018505944.tif 000012
【０１５８】
ＩＩ．３重質液体洗濯洗剤組成物
【０１５９】
【表４】
2018505944.tif 000013
＊洗浄及び／又は処理組成物の総重量に対して、合わせて１２％以下の水
【０１６０】
実施例ＩＩ．４  １回分分包型組成物
【０１６１】
【表５】
2018505944.tif 000014
（１）
【０１６２】
組成物実施例の原材料及び注記
ＬＡＳは、Ｓｔｅｐａｎ（Ｎｏｒｔｈｆｉｅｌｄ，Ｉｌｌｉｎｏｉｓ，ＵＳＡ）又はＨｕｎｔｓｍａｎ  Ｃｏｒｐから供給されている、平均脂肪族炭素鎖長がＣ９〜Ｃ１５の直鎖アルキルベンゼンスルホン酸塩である。（ＨＬＡＳは酸型である。）
【０１６３】
Ｃ１２−１４塩化ジメチルヒドロキシエチルアンモニウムは、Ｃｌａｒｉａｎｔ  ＧｍｂＨ（Ｇｅｒｍａｎｙ）から供給されている。
【０１６４】
ＡＥ３Ｓは、Ｓｔｅｐａｎ（Ｎｏｒｔｈｆｉｅｌｄ，Ｉｌｌｉｎｏｉｓ，ＵＳＡ）から供給されているＣ１２〜１５アルキルエトキシ（３）硫酸塩である。
【０１６５】
ＡＥ７は、Ｈｕｎｔｓｍａｎ（Ｓａｌｔ  Ｌａｋｅ  Ｃｉｔｙ，Ｕｔａｈ，ＵＳＡ）より供給される、平均エトキシル化度が７のＣ１２〜１５エトキシル酸アルコールである。
【０１６６】
ＡＥＳは、Ｓｈｅｌｌ  Ｃｈｅｍｉｃａｌｓから供給されているＣ１０〜１８アルキルエトキシ硫酸塩である。
【０１６７】
ＡＥ９は、Ｈｕｎｔｓｍａｎ（Ｓａｌｔ  Ｌａｋｅ  Ｃｉｔｙ，Ｕｔａｈ，ＵＳＡ）より供給される、平均エトキシル化度が９のＣ１２〜１３エトキシル酸アルコールである。
【０１６８】
ＨＳＡＳ又はＨＣ１６１７ＨＳＡＳは、平均炭素鎖長が約１６〜１７の、中鎖分枝状一級アルキル硫酸塩である。
【０１６９】
トリポリリン酸ナトリウムは、Ｒｈｏｄｉａ（Ｐａｒｉｓ，Ｆｒａｎｃｅ）から供給されている。
【０１７０】
ゼオライトＡは、Ｉｎｄｕｓｔｒｉａｌ  Ｚｅｏｌｉｔｅ（ＵＫ）Ｌｔｄ（Ｇｒａｙｓ，Ｅｓｓｅｘ，ＵＫ）から供給されている。
【０１７１】
１．６Ｒケイ酸塩は、Ｋｏｍａ（Ｎｅｓｔｅｍｉｃａ，Ｃｚｅｃｈ  Ｒｅｐｕｂｌｉｃ）から供給されている。
【０１７２】
炭酸ナトリウムは、Ｓｏｌｖａｙ（Ｈｏｕｓｔｏｎ，Ｔｅｘａｓ，ＵＳＡ）から供給されている。
【０１７３】
ポリアクリレートＭＷ４５００は、ＢＡＳＦ（Ｌｕｄｗｉｇｓｈａｆｅｎ，Ｇｅｒｍａｎｙ）から供給されている。
【０１７４】
カルボキシメチルセルロースは、ＣＰ  Ｋｅｌｃｏ（Ａｒｎｈｅｍ，Ｎｅｔｈｅｒｌａｎｄｓ）から供給されているＦｉｎｎｆｉｘ（登録商標）Ｖである。
【０１７５】
好適なキレート化剤は、例えばＤｏｗＣｈｅｍｉｃａｌ（Ｍｉｄｌａｎｄ，Ｍｉｃｈｉｇａｎ，ＵＳＡ）より供給される、ジエチレンテトラアミン五酢酸（ＤＴＰＡ）又はＳｏｌｕｔｉａ（Ｓｔ  Ｌｏｕｉｓ，Ｍｉｓｓｏｕｒｉ，ＵＳＡ／Ｂａｇｓｖａｅｒｄ，Ｄｅｎｍａｒｋ）により供給される、ヒドロキシエタンジホスホネート（ＨＥＤＰ）である。
【０１７６】
Ｓａｖｉｎａｓｅ（登録商標）、Ｎａｔａｌａｓｅ（登録商標）、Ｓｔａｉｎｚｙｍｅ（登録商標）、Ｌｉｐｅｘ（登録商標）、Ｃｅｌｌｕｃｌｅａｎ（商標）、Ｍａｎｎａｗａｙ（登録商標）、及びＷｈｉｔｅｚｙｍｅ（登録商標）はいずれも、Ｎｏｖｏｚｙｍｅｓ（Ｂａｇｓｖａｅｒｄ，Ｄｅｎｍａｒｋ）の製品である。
【０１７７】
プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆｏｒｎｉａ，ＵＳＡ）（例えばＰｕｒａｆｅｃｔ  Ｐｒｉｍｅ（登録商標））、又はＮｏｖｏｚｙｍｅｓ（Ｂａｇｓｖａｅｒｄ，Ｄｅｎｍａｒｋ）（例えばＬｉｑｕａｎａｓｅ（登録商標）、Ｃｏｒｏｎａｓｅ（登録商標））から供給されるものでよい。
【０１７８】
蛍光増白剤１はＴｉｎｏｐａｌ（登録商標）ＡＭＳ、蛍光増白剤２はＴｉｎｏｐａｌ（登録商標）ＣＢＳ−Ｘ、スルホン化亜鉛フタロシアニン及びダイレクトバイオレット９はＰｅｒｇａｓｏｌ（登録商標）バイオレットＢＮ−Ｚであり、これらは全てＣｉｂａ  Ｓｐｅｃｉａｌｔｙ  Ｃｈｅｍｉｃａｌｓ（Ｂａｓｅｌ，Ｓｗｉｔｚｅｒｌａｎｄ）から供給されている。
【０１７９】
過炭酸ナトリウムは、Ｓｏｌｖａｙ（Ｈｏｕｓｔｏｎ，Ｔｅｘａｓ，ＵＳＡ）から供給されている。
【０１８０】
過ホウ酸ナトリウムは、Ｄｅｇｕｓｓａ（Ｈａｎａｕ，Ｇｅｒｍａｎｙ）から供給されている。
【０１８１】
ＮＯＢＳは、Ｆｕｔｕｒｅ  Ｆｕｅｌｓ（Ｂａｔｅｓｖｉｌｌｅ，ＵＳＡ）から供給されているノナノイルオキシベンゼンスルホン酸ナトリウムである。
【０１８２】
ＴＡＥＤはＣｌａｒｉａｎｔ  ＧｍｂＨ，Ｓｕｌｚｂａｃｈ，Ｇｅｒｍａｎｙにより商品名Ｐｅｒａｃｔｉｖｅ（登録商標）で供給されるテトラアセチルエチレンジアミンである。
【０１８３】
Ｓ−ＡＣＭＣは、Ｍｅｇａｚｙｍｅ（Ｗｉｃｋｌｏｗ，Ｉｒｅｌａｎｄ）からアゾ−ＣＭ−セルロース（ＡＺＯ−ＣＭ−ＣＥＬＬＵＬＯＳＥ）という製品名（製品コードＳ−ＡＣＭＣ）で販売されている、Ｃ．Ｉ．リアクティブブルー１９で共役されているカルボキシメチルセルロースである。
【０１８４】
汚れ遊離剤はＲｈｏｄｉａ，Ｐａｒｉｓ，Ｆｒａｎｃｅにより供給されるＲｅｐｅｌ−ｏ−ｔｅｘ（登録商標）ＰＦである。
【０１８５】
アクリル酸／マレイン酸コポリマーは、分子量７０，０００であり、アクリレート：材料比７０：３０（ＢＡＳＦ（Ｌｕｄｗｉｇｓｈａｆｅｎ，Ｇｅｒｍａｎｙ）から供給される）
【０１８６】
エチレンジアミン−Ｎ，Ｎ’−二コハク酸、（Ｓ，Ｓ）異性体（ＥＤＤＳ）のＮａ塩は、Ｏｃｔｅｌ（Ｅｌｌｅｓｍｅｒｅ  Ｐｏｒｔ，ＵＫ）から供給される。
【０１８７】
ヒドロキシエタンジホスホネート（ＨＥＤＰ）は、Ｄｏｗ  Ｃｈｅｍｉｃａｌ（Ｍｉｄｌａｎｄ，Ｍｉｃｈｉｇａｎ，ＵＳＡ）により供給されるものである。
【０１８８】
泡抑制剤疑集体は、Ｄｏｗ  Ｃｏｒｎｉｎｇ（Ｍｉｄｌａｎｄ，Ｍｉｃｈｉｇａｎ，ＵＳＡ）から供給されている。
【０１８９】
ＨＳＡＳは、米国特許第６，０２０，３０３号及び同第６，０６０，４４３号で開示されているような中鎖分枝状アルキル硫酸塩である。
【０１９０】
Ｃ１２〜１４ジメチルアミンオキシドは、Ｐｒｏｃｔｅｒ  ＆  Ｇａｍｂｌｅ  Ｃｈｅｍｉｃａｌｓ（Ｃｉｎｃｉｎｎａｔｉ，ＵＳＡ）から供給されている。
【０１９１】
ランダムグラフトコポリマーは、ポリエチレンオキシド主鎖及び多数のポリビニルアセテート側鎖を有するポリビニルアセテートグラフトポリエチレンオキシドコポリマーである。ポリエチレンオキシド主鎖の分子量は約６０００であり、ポリエチレンオキシドのポリ酢酸ビニルに対する重量比は約４０：６０であり、グラフト点は５０個のエチレンオキシド単位につき１個以下である。
【０１９２】
エトキシル化ポリエチレンイミンは、１個の−ＮＨ当たり２０個のエトキシレート基を有するポリエチレンイミン（ＭＷ＝６００）である。
【０１９３】
カチオン性セルロース系ポリマーは、Ａｍｅｒｃｈｏｌ  Ｃｏｒｐｏｒａｔｉｏｎ（Ｅｄｇｅｗａｔｅｒ  ＮＪ）のＬＫ４００、ＬＲ４００、及び／又はＪＲ３０Ｍである。
【０１９４】
注：いずれの酵素レベルも、酵素原料の割合（％）として表されている。
【０１９５】
タンニン＊＝マツの樹皮抽出物又はケブラチョ抽出物から誘導されるタンニン
【０１９６】
性能データ
洗浄実験を、小型Ｎｏｒｔｈ  Ａｍｅｒｉｃａ  ＴＬ（ｍｉｎｉ−ｗａｓｈ）で行った。洗浄濃度０．０９５％（７．５７Ｌの水中で用量７．２ｇ）の、液体洗剤を伴う７．５７Ｌの水。１２分間の３２℃（９０°Ｆ）洗浄周期に続いて、２分間のすすぎ周期を１５．５℃（６０°Ｆ）にて実施した。洗浄及びすすぎのための水の硬度は、０．１ｇ／Ｌ（７ｇｐｇ）である。洗浄バラストは、２５０ｇのコットンテリー布地（４枚のコットンケリー布地）からなる。悪臭反応混液で処理した３つの悪臭トレーサー（４×４インチの、５０５０綿見本）が、洗浄実験に含まれる。洗浄後、バラスト及び悪臭トレーサーを、高温／綿設定にて５０分間電気布地乾燥機で乾燥させた。
【０１９７】
【表６】
2018505944.tif 000015
【０１９８】
本明細書に開示した寸法及び値は、記載された正確な数値に厳密に限定されるものと理解されるべきではない。むしろ、特に明記しない限り、そのような各寸法は、記載された値及びその値の周辺の、機能的に同等の範囲の両方を意味するものとする。例えば「４０ｍｍ」として開示される寸法は、「約４０ｍｍ」を意味するものとする。
【０１９９】
相互参照される又は関連する任意の特許又は特許出願、及び本願が優先権又はその利益を主張する任意の特許出願又は特許等の、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明すべてを教示、示唆、又は開示するとはみなされない。更に、本文書における用語の任意の意味又は定義が、参照により組み込まれた文書内の同じ用語の意味又は定義と競合する場合、本文書におけるその用語に与えられた意味又は定義が適用されるものとする。
【０２００】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【国際調査報告】
2018505944.tif 000016
2018505944.tif 000017
2018505944.tif 000018
2018505944.tif 000019